【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
呼吸システムに付随する１つまたはそれ以上のトリガイベントに関連する情報を収集することと、
前記収集された情報に基づいて１つまたはそれ以上の制御パラメータを決定することと、
前記決定された制御パラメータに基づいて一酸化窒素を発生させるために、一連の電気アークを起動することと
を含む方法。
【請求項２】
前記トリガイベントが、ガスの吸気又はガスの流れの少なくとも１つによる温度低下である、請求項１に記載の方法。
【請求項３】
１つまたはそれ以上のトリガイベントに関連する前記情報が、吸気の開始時間、吸気の一回呼吸量、吸気ガスの温度および反応ガス中の酸素濃度の１つまたはそれ以上を含む、請求項１に記載の方法。
【請求項４】
前記トリガイベントが発生する時、又は前記トリガイベントが発生するより予め規定された時間量だけ前、のいずれか1つの場合に、前記一連の電気アークが生成される、請求項１に記載の方法。
【請求項５】
パルス列が前記一連の電気アークを起動し、前記パルス列が、異なるパルス幅を含むパルスを含むパルス群を備える、請求項１に記載の方法。
【請求項６】
前記パルス群の１つの中の初期パルスのパルス幅が、前記パルス群の中の他のパルスよりも幅広い、請求項５に記載の方法。
【請求項７】
前記一連の電気アークが、低減したレベルの二酸化窒素またはオゾンを発生させるように構成された、請求項５に記載の方法。
【請求項８】
前記低減したレベルの二酸化窒素の濃度が、前記発生した一酸化窒素の濃度の２０％、１０％、６％、または５％未満である、請求項７に記載の方法。
【請求項９】
前記呼吸システムが、気管切開チューブ、気管内チューブ、及び患者が装着できるマスクの少なくとも1つを含む、請求項１に記載の方法。
【請求項１０】
呼吸システムに付随する１つまたはそれ以上のトリガイベントに関連する情報を収集するための呼吸センサと、
ガス内の酸素濃度に関連する情報を収集するための酸素センサと、
前記収集された情報に基づいて１つまたはそれ以上の制御パラメータを決定するための制御装置と、
前記決定された制御パラメータに基づいて一酸化窒素を発生させるために、一連の電気アークを起動するための電極と  を備える装置。
【請求項１１】
前記トリガイベントが、ガスの吸気による温度低下又は前記呼吸センサを通過するガスの流れの少なくとも１つである、請求項１０に記載の装置。
【請求項１２】
１つまたはそれ以上のトリガイベントに関連する前記情報が、吸気の開始時間、吸気の一回呼吸量、吸気ガスの温度および反応ガス中の酸素濃度の１つまたはそれ以上を含む、請求項１０に記載の装置。
【請求項１３】
前記トリガイベントが発生する時、又は前記トリガイベントが発生するより予め規定された時間量だけ前、のいずれか1つの場合に、前記電極が、前記一連の電気アークを生成する、請求項１０に記載の装置。
【請求項１４】
パルス列が前記一連の電気アークを起動し、前記パルス列が、異なるパルス幅を含むパルスを含むパルス群を備える、請求項１０に記載の装置。
【請求項１５】
前記パルス群の１つの中の初期パルスのパルス幅が、前記パルス群の中の他のパルスよりも幅広い、請求項１４に記載の装置。
【請求項１６】
前記一連の電気アークが、低減したレベルの二酸化窒素またはオゾンを発生させる、請求項１４に記載の装置。
【請求項１７】
前記低減したレベルの二酸化窒素の濃度が、前記発生した一酸化窒素濃度の２０％、１０％、６％、または５％未満である、請求項１６に記載の装置。
【請求項１８】
前記呼吸システムが、気管、気管切開チューブ、気管内チューブ、及び患者が装着できるマスクの少なくとも１つを含む、請求項１０に記載の装置。
【請求項１９】
前記患者が装着できるマスクが、吸気ガス流を呼気ガス流から分離するための１つまたはそれ以上の弁を含む、請求項１８に記載の装置。
【請求項２０】
前記センサまたは前記電極が、気管の中に配置されるように構成されている、請求項１０に記載の装置。
【請求項２１】
前記電極が、貴金属、イリジウム、及びニッケルの少なくとも１つを含む、請求項１０に記載の装置。
【請求項２２】
一酸化窒素を生成するためのシステムが、哺乳動物の気管内に配置される装置であって、前記気管に付随する１つまたはそれ以上のトリガイベントに関連する情報を収集するための呼吸センサと、
ガス内の酸素濃度に関連する情報を収集するための酸素センサと、
一酸化窒素を発生させるために、一連の電気アークを起動するための１つまたはそれ以上の電極対と、を備える装置と、
前記呼吸センサおよび前記酸素センサによって収集された情報に基づいて、１つまたはそれ以上の制御パラメータを決定するための制御装置と
を備えるシステムであって、
前記一連の電気アークが、前記制御装置によって決定された前記制御パラメータに基づいて起動される、システム。
【請求項２３】
前記トリガイベントが、ガスの吸気による温度低下、及び、前記呼吸センサを通過するガスの流れの少なくとも１つである、請求項２２に記載のシステム。
【請求項２４】
１つまたはそれ以上のトリガイベントに関連する前記情報が、吸気の開始時間、吸気の一回呼吸量、吸気ガスの温度および反応ガス中の酸素濃度の１つまたはそれ以上を含む、請求項２２に記載のシステム。
【請求項２５】
前記トリガイベントが発生する時、又は前記トリガイベントが発生するより予め規定された時間量だけ前、のいずれか1つの場合に、前記電極が、前記一連の電気アークを生成する、請求項２２に記載のシステム。
【請求項２６】
パルス列が前記一連の電気アークを起動し、前記パルス列が、異なるパルス幅を含むパルスを含むパルス群を備える、請求項２２に記載のシステム。
【請求項２７】
前記パルス群の１つの中の初期パルスのパルス幅が、前記パルス群の中の他のパルスよりも幅広い、請求項２６に記載のシステム。
【請求項２８】
前記一連の電気アークが、低減したレベルの二酸化窒素またはオゾンを発生させる、請求項２６に記載のシステム。
【請求項２９】
前記低減したレベルの二酸化窒素の濃度が、前記発生した一酸化窒素の濃度の２０％、１０％、６％、または５％未満である、請求項２８に記載のシステム。
【請求項３０】
前記電極が、貴金属、イリジウム、及びニッケルの少なくとも１つを含む、請求項２２に記載のシステム。
【請求項３１】
首の中の軟骨間リングの中に移植可能な装置であって、前記呼吸システムに付随する１つまたはそれ以上のトリガイベントに関連する情報を収集するための呼吸センサと、
ガス内の酸素濃度に関連する情報を収集するための酸素センサと、
前記収集された情報に基づいて、１つまたはそれ以上の制御パラメータを決定するための制御装置と、スパークチャンバ内部に存する１つまたはそれ以上の電極対であって、前記決定された制御パラメータに基づいて一酸化窒素を発生させるために、一連の電気アークを起動するための１つまたはそれ以上の電極と
を備える装置であって、
前記スパークチャンバが、一酸化窒素に対して浸透性であり、二酸化窒素およびオゾンに対して不浸透性である膜によって外部環境から分離されている、装置。
【請求項３２】
前記膜から粘液を除去するための掃除手段を更に備える、請求項３１に記載の装置。
【請求項３３】
セルディンガー法を使用して、哺乳動物の気管内に移植可能な装置であって、呼吸システムに付随する１つまたはそれ以上のトリガイベントに関連する情報を収集するための呼吸センサと、
ガス内の酸素濃度に関連する情報を収集するための酸素センサと、前記収集された情報に基づいて１つまたはそれ以上の制御パラメータを決定するための制御装置と、
前記決定された制御パラメータに基づいて一酸化窒素を発生させるために、一連の電気アークを起動するための１つまたはそれ以上の電極対と
を備える装置。